(57)【要約】【課題】受信装置において、より多くの情報をユーザが容易に認識することができる表示を行うことができるようにする。【解決手段】放送局名や楽曲の曲名等に関する文字データが含まれる放送を受信する受信手段と、前記文字データに基づく文字列を表示する表示部とを備えた受信装置において、前記文字データに基づく文字列「ＷＸＹＺ」に対し、前記文字データによる情報とは異なる別の付加情報、たとえば放送モードや受信中のチャンネルに関する情報を表す文字列「ＦＭ  Ｓ」や「ＨＤ２Ｓ」又はシンボルを付加した表示を、前記表示部において行うようにする。【選択図】図３
2006229748.tif 000002
【特許請求の範囲】
【請求項１】
文字データが含まれる放送を受信する受信手段と、前記文字データに基づく文字列を表示する表示部とを備えた受信装置において、
前記文字データに基づく文字列に対し、前記文字データによる情報とは異なる別の情報であって、前記文字列が表す情報に関連する情報を表す文字列又はシンボルを付加した表示を、前記表示部において行う表示手段を具備することを特徴とする受信装置。
【請求項２】
前記文字データによる情報は、受信中の放送の放送局名、楽曲の曲名、アーティスト、若しくはジャンル、又は放送番組のジャンルに関する情報であることを特徴とする請求項１に記載の受信装置。
【請求項３】
前記関連情報は、受信中の放送の放送モードに関する情報又は受信中のチャンネルに関する情報であることを特徴とする請求項１又は２に記載の受信装置。
【請求項４】
前記放送モードは、アナログ放送、デジタル放送、モノラル放送、ステレオ放送、ＩＢＯＣ放送、ＩＢＯＣ形式のハイブリッド放送、ＩＢＯＣ形式のフルデジタル放送、トゥモロー・ラジオ放送、非遅延放送、又はＲＤＳ／ＲＢＤＳ放送であることを特徴とする請求項３に記載の受信装置。
【請求項５】
受信状態が使用者の操作によらずに所定の遷移を生じたとき、その旨を示す文字列若しくはシンボルを所定時間表示し又はその旨を示すインジケータを所定時間点灯する手段を有することを特徴とする請求項１〜４のいずれか１項に記載の受信装置。
【請求項６】
受信状態が使用者の操作によらずに所定の遷移を生じたとき、その旨を示す文字列若しくはシンボルを所定時間表示し又はその旨を示すインジケータを所定時間点灯する手段を有することを特徴とする受信装置。
【請求項７】
前記受信状態の所定の遷移は、受信している放送の放送局による放送モードの遷移又は受信装置が行う遷移であることを特徴とする請求項５又は６に記載の受信装置。
【請求項８】
前記放送モードの遷移は、デジタル放送を含む放送及びアナログのみの放送間での遷移、ステレオ放送及びモノラル放送間での遷移、サブ・チャンネルが含まれるデジタル放送とサブ・チャンネルが含まれないデジタル放送間での遷移、ＩＢＯＣ方式によるハイブリッド放送及びフルデジタル放送間での遷移、又はＩＢＯＣ方式によるハイブリッド放送及び非遅延放送間での遷移であることを特徴とする請求項７に記載の受信装置。
【請求項９】
前記受信装置が行う遷移は、ＩＢＯＣ方式によるハイブリッド放送を受信する場合における、アナログ放送を受信する状態及びデジタル放送を受信する状態間の遷移であることを特徴とする請求項７に記載の受信装置。
【請求項１０】
文字データが含まれる放送を受信する受信手段と、前記文字データに基づく文字列を表示する表示部とを備えた受信装置のコンピュータを、
前記文字データに基づく文字列に対し、前記文字データによる情報とは異なる別の情報であって、前記文字列が表す情報に関連する情報を表す文字列又はシンボルを付加した表示を、前記表示部において行う表示手段として機能させることを特徴とするプログラム。
【請求項１１】
文字データが含まれる放送を受信する受信手段と、前記文字データに基づく文字列を表示する表示部とを備えた受信装置が、
前記文字データに基づく文字列に対し、前記文字データによる情報とは異なる別の情報であって、前記文字列が表す情報に関連する情報を表す文字列又はシンボルを付加した表示を、前記表示部において行う工程を具備することを特徴とする受信方法。
【発明の詳細な説明】
【技術分野】
【０００１】
本発明は、文字データが含まれる放送を受信し、該文字データに基づく文字列を表示する機能を備えた受信装置、並びに該装置に適したプログラム及び受信方法に関する。
【背景技術】
【０００２】
従来、ラジオ放送の受信装置として、限られた面積の表示画面上で、多くの表示モードにより種々の情報を表示するものが普及している。ユーザは、このような受信装置を使用するとき、表示モードを適宜切り替えることにより、所望の情報を取捨選択し、表示させることができる。
【０００３】
図９は従来例に係る一般的な車載用受信装置の表示部における表示例を示す。この受信装置はＲＤＳ（ラジオ・データ・システム）又はＲＢＤＳ（ラジオ放送データ・システム）によるＦＭ多重放送（以下、「ＲＤＳ／ＲＢＤＳ放送」という。）及びＩＢＯＣ（イン−バンド・オン−チャンネル）方式による地上波デジタル・ラジオ放送（以下、「ＩＢＯＣ放送」又は「ＨＤラジオ放送」という。）に対応している。
【０００４】
図中の８１は、受信装置の表示部である。表示部８１は、２行の文字列による情報が表示できるようになっている。同図の表示部８１においては、ＨＤラジオ放送を受信しているときの状態が示されている。表示部８１中の「ＷＸＹＺ−ＦＭ」は受信中の放送局を表し、「Ｌｅｔ  ｉｔ  ｂｅ／Ｂｅａｔｌｅｓ」は受信中の楽曲についての曲名及びアーティスト名を表している。ユーザは、同図の表示状態において、所定のキー操作で表示モードを変更することにより、同図の表示状態における文字情報とは別の文字情報を表示させることができる。
【０００５】
図１０は別の従来例に係る車載用受信装置の表示部における表示例を示す。この受信装置も、ＲＤＳ／ＲＢＤＳ放送及びＩＢＯＣ放送に対応している。表示部８１は、その上部において１行の文字列による情報が表示できるようになっている。表示部８１の下部にはＲＤＳ／ＲＢＤＳ放送を受信している状態を表すインジケータ、及びデジタル放送であるＩＢＯＣ放送を受信している状態を表すインジケータが設けられている。各インジケータを点灯又は消灯させることにより、各放送の受信状態を表示することができるようになっている。
【０００６】
同図の表示部８１ではＩＢＯＣ放送を受信している状態が示されている。表示部８１における「ＳＴ」は受信中の放送がステレオ放送であることを表し、「ＤＩＧ」はデジタル放送であることを表し、「ＳＵＢ」はサブ・チャンネルであることを表している。これらの「ＳＴ」、「ＤＩＧ」及び「ＳＵＢ」は、対応する各インジケータを点灯させることにより表示されている。
【０００７】
図１１は、図１０の受信装置において、ＲＤＳ／ＲＢＤＳ放送を受信している状態を示している。「ＤＩＧ」及び「ＳＵＢ」を表示するインジケータは消灯し、代わりに「ＲＤＳ／ＲＢＤＳ」を表示するインジケータが点灯している。これにより、ＲＤＳ／ＲＢＤＳ放送を受信していることを表わしている。ユーザはこれら各種インジケータの点灯／消灯による表示状況により受信状態を把握することができる。
【０００８】
このように、従来の車載用受信装置においては、１行又は２行程度の情報しか表示できないので、ディスプレイ・モード等を切り替えて、より多くの情報を表示することができるようにしている（たとえば、特許文献１及び２参照）。また、多くの情報を同時に表示するために、各種インジケータを配置するようにしている。
【０００９】
【特許文献１】特開平３−２１１９１８号公報
【特許文献２】特開平８−２２８１６２号公報
【発明の開示】
【発明が解決しようとする課題】
【００１０】
しかしながら、上述従来技術によれば、表示画面の面積が小さい車載用受信装置等の場合、一度に表示できる情報が１行又は２行程度の文字列による情報に限られているため、現在表示されている以外の情報を知るためには、ユーザは自らメニュー・キーやディスプレイ・キーを押下するなどして、表示モードを切り替える必要がある。このため、基本的に、ユーザは表示モードを変更するまで、現在表示している以外の情報を確認することができない。
【００１１】
また、インジケータで多くの情報を表示させようとすると、表示面積が限定された表示部においては、個々のインジケータを小さくせざるを得ないため、インジケータによる表示が認識しにくいものとなっている。また、ユーザは、各インジケータによる表示情報を組み合わせて、現在の受信信号の状態を認識しなければならないので、受信状態を容易に認識することが困難な場合がある。
【００１２】
本発明の目的は、このような従来技術の問題点に鑑み、受信装置において、より多くの情報をユーザが容易に認識することができる表示を行うことができるようにすることにある。
【課題を解決するための手段】
【００１３】
上記目的を達成するため、第１の発明に係る受信装置は、文字データが含まれる放送を受信する受信手段と、前記文字データに基づく文字列を表示する表示部とを備えた受信装置において、前記文字データに基づく文字列に対し、前記文字データによる情報とは異なる別の情報であって、前記文字列が表す情報に関連する情報を表す文字列又はシンボルを付加した表示を、前記表示部において行う表示手段を具備することを特徴とする。ここで、受信装置としては、たとえば、有線や無線の受信装置が該当する。文字データが含まれる放送としては、たとえば、ＲＤＳ／ＲＢＤＳ放送やＩＢＯＣ放送が該当する。付加情報を表す文字列には１文字からなるものも含まれる。
【００１４】
この構成において、受信装置は、文字データが含まれる放送を受信すると、その文字データに基づく文字列を表示部において表示する。その際、受信装置は、文字データに基づく文字列に対し、文字データによる情報とは異なる別の情報であって、該文字列が表す情報に関連する情報を表す文字列又はシンボルを付加したものとして、その表示を行う。したがって、該関連情報を表す文字列又はシンボルによる情報を加えたより多くの情報が、表示部において同時に表示されることになる。
【００１５】
第２の発明に係る受信装置は、第１発明において、前記文字データによる情報は、受信中の放送の放送局名、楽曲の曲名、アーティスト、若しくはジャンル、又は放送番組のジャンルに関する情報であることを特徴とする。
【００１６】
第３の発明に係る受信装置は、第１又は第２発明において、前記関連情報は、受信中の放送の放送モードに関する情報又は受信中のチャンネルに関する情報であることを特徴とする。
【００１７】
第４の発明に係る受信装置は、第３発明において、前記放送モードは、アナログ放送、デジタル放送、モノラル放送、ステレオ放送、ＩＢＯＣ放送、ＩＢＯＣ形式のハイブリッド放送、ＩＢＯＣ形式のフルデジタル放送、トゥモロー・ラジオ放送、非遅延放送、又はＲＤＳ／ＲＢＤＳ放送であることを特徴とする。
【００１８】
第５の発明に係る受信装置は、第１〜第４のいずれかの発明において、受信状態が使用者の操作によらずに所定の遷移を生じたとき、その旨を示す文字列若しくはシンボルを所定時間表示し又はその旨を示すインジケータを所定時間点灯する手段を有することを特徴とする。
【００１９】
第６の発明に係る受信装置は、受信状態が使用者の操作によらずに所定の遷移を生じたとき、その旨を示す文字列若しくはシンボルを所定時間表示し又はその旨を示すインジケータを所定時間点灯する手段を有することを特徴とする。
【００２０】
第７の発明に係る受信装置は、第５又は第６発明において、前記受信状態の所定の遷移は、受信している放送の放送局による放送モードの遷移又は受信装置が行う遷移であることを特徴とする。
【００２１】
第８の発明に係る受信装置は、第７発明において、前記放送モードの遷移は、デジタル放送及びアナログ放送間での遷移、ステレオ放送及びモノラル放送間での遷移、サブ・チャンネルが含まれるデジタル放送とサブ・チャンネルが含まれないデジタル放送間での遷移、ＩＢＯＣ方式によるハイブリッド放送及びフルデジタル放送間での遷移、又はＩＢＯＣ方式によるハイブリッド放送及び非遅延放送間での遷移であることを特徴とする。
【００２２】
第９の発明に係る受信装置は、第７発明において、前記受信装置が行う遷移は、ＩＢＯＣ方式によるハイブリッド放送を受信する場合における、アナログ放送を受信する状態及びデジタル放送を受信する状態間の遷移であることを特徴とする。
【００２３】
第１０の発明に係るプログラムは、文字データが含まれる放送を受信する受信手段と、前記文字データに基づく文字列を表示する表示部とを備えた受信装置のコンピュータを、前記文字データに基づく文字列に対し、前記文字データによる情報とは異なる別の情報であって、前記文字列が表す情報に関連する情報を表す文字列又はシンボルを付加した表示を、前記表示部において行う表示手段として機能させることを特徴とする。
【００２４】
第１１の発明に係る受信方法は、文字データが含まれる放送を受信する受信手段と、前記文字データに基づく文字列を表示する表示部とを備えた受信装置が、前記文字データに基づく文字列に対し、前記文字データによる情報とは異なる別の情報であって、前記文字列が表す情報に関連する情報を表す文字列又はシンボルを付加した表示を、前記表示部において行う工程を具備することを特徴とする。
【発明の効果】
【００２５】
本発明によれば、文字データに基づく文字列に対し、関連情報を表す文字列又はシンボル加えたものを同時に表示することができる。つまり、表示モードを切り替える必要なしに、従来より多くの情報を表示することができる。したがって、この表示により、ユーザはより多くの情報を容易に認識することができる。
【発明を実施するための最良の形態】
【００２６】
図１は本発明の一実施形態に係る受信装置の構成を示すブロック図である。同図に示すように、この受信装置は、ユーザによる操作指示を受け入れるための入力装置１１、入力装置１１からの操作指示信号が入力されるメイン・コントローラ１２、メイン・コントローラ１２により制御されるチューナ１３、メイン・コントローラ１２により制御され、チューナ１３の出力信号を復調する復調部１４、復調部１４が出力する音声信号を可聴音に変換する音声出力装置１５、及びメイン・コントローラ１２による制御の下に、操作指示に基づく操作内容等を表示する表示装置１６を備える。
【００２７】
復調部１４は、アナログであるかデジタルであるかを問わず、放送信号波内にテキスト（「文字情報」ともいう。）が含まれる放送伝送方式に対応しており、該放送方式の楽音データ及びテキストデータの復調が可能な復調手段を含んでいる。表示装置１６は文字情報（「文字データ」ともいう。）に基づく文字列を表示するための表示領域を有する表示部を有する。
【００２８】
図２はメイン・コントローラ１２における表示用情報の生成処理を示すフローチャートである。処理を開始すると、メイン・コントローラ１２は、まずステップ２１において、現在受信中の信号に基づき、該信号に含まれる文字情報及び受信状態に関する情報を復調部１４から取得する。この文字情報としては、たとえば、受信中の放送局の名称や、受信（聴取）中の楽曲の曲名、アーティスト、若しくはジャンル、又は放送番組のジャンルに関する情報が該当する。受信状態に関する情報としては、たとえば、受信中のチャンネルや受信中の放送の放送モードに関する情報が該当する。
【００２９】
放送モードとしては、アナログ放送、デジタル放送、モノラル放送、ステレオ放送、ＩＢＯＣ方式によるハイブリッド放送、ＩＢＯＣ方式によるサイマル放送、ＩＢＯＣ方式によるフルデジタル放送、トゥモロー・ラジオ放送、非遅延放送（ノン・ディレイ放送）、ＲＤＳ／ＲＢＤＳ放送等が該当する。非遅延放送とは、ＩＢＯＣ放送におけるサービスの一種で、野球中継のようにリアルタイム性が重視される放送内容の場合に、アナログ音声を優先的に出力させる放送モードである。
【００３０】
次に、ステップ２２において、メイン・コントローラ１２は、ステップ２１で取得した複数の情報に基づき、表示装置１６において１行の文字列を表示するために用いられるテキストを生成する。その際、そのテキストには、２以上の情報を表すテキストを含める。つまり、ステップ２１で取得した文字情報に基づく文字列に対し、該文字情報による情報とは異なる別の付加的な関連情報として、ステップ２１で取得した受信状態に関する情報を表す文字列を付加した文字列の表示を行うためのテキストを生成する。
【００３１】
次に、ステップ２３において、メイン・コントローラ１２は、生成したテキストを表示装置１６に出力し、図２の処理を終了する。出力されたテキストは、表示装置１６による表示に供され、その内容が、１行の文字列として表示され、ユーザに提示されることになる。
【００３２】
図３は表示装置１６における表示例（同図（ｂ）〜（ｈ））を、従来例（同図（ａ））と比較して示す。この例では、放送周波数が１００．１［ＭＨｚ］で、アナログ及びデジタルのサイマル放送並びに２つのサブ・チャンネルを含む、ＩＢＯＣ方式によるトゥモロー・ラジオ放送（以下、「ＩＢＯＣ−ＴＲ放送」という。）を受信している場合について示している。
【００３３】
従来例においては、受信内容等の如何にかかわらず、表示装置の表示画面上には、常に同図（ａ）に示すような放送局名を示す「ＷＸＹＺ−ＦＭ」を表示するようにしている。この表示の形式は、ＩＢＯＣ放送におけるステーション・コール・レター（Ｓｔａｔｉｏｎ  Ｃａｌｌ  Ｌｅｔｔｅｒ）の仕様として定められているものであり、最初の４文字「ＷＸＹＺ」がプライマリ情報で、後ろの３文字「−ＦＭ」がオプショナル情報である。これに対し、本実施形態においては、プライマリ情報としての「ＷＸＹＺ」に対し、付加的情報として、受信信号に基づいて得られる放送モードや受信チャンネルを表す文字を付加し、同図（ｂ）〜（ｈ）のような表示を行うようにしている。
【００３４】
すなわち同図（ｂ）は、アナログのモノラル放送を受信している場合の表示例を示している。この例では、同図に示すように、放送局名のプライマリ情報「ＷＸＹＺ」に対し、アナログのＦＭ放送を受信していることを示す「ＦＭ」、及びその放送がモノラルであることを示す「Ｍ」を結合させた文字列「ＷＸＹＺ  ＦＭ  Ｍ」を表示している。
【００３５】
同図（ｃ）は、アナログのステレオ放送を受信している場合の表示例を示している。この例では、同図に示すように、放送局名のプライマリ情報「ＷＸＹＺ」に対し、アナログのＦＭ放送を受信していることを示す「ＦＭ」、及びその放送がステレオであることを示す「Ｓ」を結合させた文字列「ＷＸＹＺ  ＦＭ  Ｓ」を表示している。
【００３６】
同図（ｄ）は、デジタルのモノラル放送を受信している場合の表示例を示している。この例では、同図に示すように、放送局名のプライマリ情報「ＷＸＹＺ」に対し、デジタル放送であるＨＤラジオ放送を受信していることを示す「ＨＤ」、及びその放送がモノラルであることを示す「Ｍ」を結合させた文字列「ＷＸＹＺ  ＨＤ  Ｍ」を表示している。
【００３７】
同図（ｅ）は、デジタルのステレオ放送を受信している場合の表示例を示している。この例では、同図に示すように、放送局名のプライマリ情報「ＷＸＹＺ」に対し、デジタル放送であるＨＤラジオ放送を受信していることを示す「ＨＤ」、及びその放送がステレオであることを示す「Ｓ」を結合させた文字列「ＷＸＹＺ  ＨＤ  Ｓ」を表示している。
【００３８】
このように、同図（ｂ）〜（ｅ）の例では、放送局名のプライマリ情報「ＷＸＹＺ」に対し、受信中の放送がアナログ又はデジタルのいずれであるか、及びモノラル又はステレオのいずれであるかといった放送モードを表す文字を付加し、表示するようにしている。同図（ｆ）〜（ｈ）の例では、さらに、受信中のチャンネルに関する情報を示す文字を付加し、表示するようにしている。
【００３９】
すなわち、同図（ｆ）〜（ｈ）は、デジタルのステレオ放送としてそれぞれ、メイン・チャンネル、サブ・チャンネル１、及びサブ・チャンネル２を受信している場合の表示例を示す。これらの例では、同図（ｆ）〜（ｈ）に示すように、放送局名のプライマリ情報「ＷＸＹＺ」に対し、デジタル放送であるＨＤラジオ放送を受信していることを示す「ＨＤ」、及びその放送がステレオであることを示す「Ｓ」に加え、さらに受信チャンネルを示す「１」、「２」、及び「３」をそれぞれ結合させた文字列「ＷＸＹＺ  ＨＤ１Ｓ」、「ＷＸＹＺ  ＨＤ２Ｓ」、及び「ＷＸＹＺ  ＨＤ３Ｓ」を表示するようにしている。「１」、「２」及び「３」は、それぞれ、受信チャンネルが、メイン・チャンネル、サブ・チャンネル１、及びサブ・チャンネル２であることを表している。
【００４０】
図４は表示装置１６における別の表示例を、従来例と比較して示す。同図においては、１０００［ｋＨｚ］において、アナログ及びデジタルのサイマル放送を行っているＩＢＯＣ放送を受信している場合について示している。従来例においては、受信内容等の如何にかかわらず、常に同図（ａ）のように、放送局名のプライマリ情報「ＷＸＹＺ」を表示するようにしている。これに対し、本実施形態においては、受信している放送の放送モードを表すテキストを付加し、同図（ｂ）及び（ｃ）のような表示を行うようにしている。
【００４１】
すなわち同図（ｂ）は、アナログ放送を受信している場合の表示例を示している。この例では、放送局名のプライマリ情報「ＷＸＹＺ」に対し、アナログのＡＭ放送を受信していることを示す「ＡＭ」を結合させた文字列「ＷＸＹＺ  ＡＭ」を表示するようにしている。また、同図（ｃ）はデジタル放送を受信している場合の表示例を示している。この例では、放送局名のプライマリ情報「ＷＸＹＺ」に対し、デジタルのＨＤラジオ放送を受信していることを示す「ＨＤ」を結合させた文字列「ＷＸＹＺ  ＨＤ」を表示するようにしている。
【００４２】
図５は受信装置のフロント・パネル部分を示す。図中の５１は図１中の表示装置１６における表示部である。同図においては、さらに別の表示例が示されている。すなわち、表示部５１においては、選択されているバンドを示す「ＦＭ１」、受信している放送の放送局名のプライマリ情報「ＷＸＸＸ」、その放送がＨＤラジオ放送であることを示す「ＨＤ」、受信中のチャンネルがサブ・チャンネル１であることを示す「２」、及びそのチャンネルの放送がステレオ放送であることを示す「Ｓ」が結合され、１行に表示されている。
【００４３】
図６は図５の表示部５１における表示内容と同一の表示内容を別の表現で表示した例を示す。この例では、図５の表示部５１における「ＨＤ」の代わりに、「ＨＤ」をデザイン的に表したシンボルを、同じ位置に表示するようにしている。また、ステレオ放送であることを示す図５の「Ｓ」の代わりに、太字の「ＳＴ」を表示するようにしている。
【００４４】
図７は表示装置１６におけるさらに別の表示例（同図（ｂ）〜（ｄ））を、従来の表示例（同図（ａ））と比較して示す。この例では、ある周波数又はチャンネルでＦＭ多重放送又はデジタル放送を受信し、かつその放送によって放送されている楽曲のソング・アーティスト情報として「Ｂｅａｔｌｅｓ」を受信している場合について示している。
【００４５】
従来、ＲＤＳ／ＲＢＤＳ放送やデジタル放送を受信する際に、受信信号中にデジタル情報として含まれるソング・タイトル情報やソング・アーティスト情報に基づき、同図（ａ）に示すような、放送中の楽曲のタイトルやアーティスト名を表示する機能を有する受信装置が知られている。これに対し、本実施形態においては、図３のような放送局名（ステーション・コール・レター）を表示する場合だけでなく、受信中の楽曲についてのソング・タイトル情報や、ソング・アーティスト情報等を表示する場合においても、種々の情報を付加し、同図（ｂ）〜（ｄ）のようにして、表示するようにしている。
【００４６】
すなわち、同図（ｂ）はトゥモロー・ラジオ放送におけるメイン・チャンネルを受信している場合の表示例を示している。この例では、受信中の楽曲のアーティスト名「Ｂｅａｔｌｅｓ」に対し、その前に、トゥモロー・ラジオ放送におけるメイン・チャンネルを受信している旨を表す「Ｍ」を結合した文字列「Ｍ：Ｂｅａｔｌｅｓ」を表示している。
【００４７】
また、同図（ｃ）は、トゥモロー・ラジオ放送におけるサブ・チャンネルを受信している場合の表示例を示している。この例では、受信中の楽曲のアーティスト名「Ｂｅａｔｌｅｓ」に対し、その前に、トゥモロー・ラジオ放送におけるサブ・チャンネルを受信している旨を表す「Ｓ」を結合した文字列「Ｓ：Ｂｅａｔｌｅｓ」が表示される。
【００４８】
また、同図（ｄ）は、ＲＢＤＳ放送を受信している場合の表示例を示している。この例では、受信中の楽曲のアーティスト名「Ｂｅａｔｌｅｓ」に対し、その前に、ＲＢＤＳ放送を受信している旨を表す「Ｒ」を結合した文字列「Ｒ：Ｂｅａｔｌｅｓ」が表示される。
【００４９】
なお、これらの楽曲に関する文字列の表示は、図９の従来例の場合と同様に、表示部の２行目において行うようにしてもよい。つまり、図３（ｂ）〜（ｈ）のような放送局に関する文字列を１行目に表示し、図７（ｂ）〜（ｄ）のような楽曲に関する文字列を２行目に表示するようにしてもよい。
【００５０】
以上の図１〜図７の実施形態によれば、従来、受信装置により受信したテキストの仕様に従い表示していた最低限必要な文字列に対し、さらに放送モード（放送内容）等の従来はインジケータ等で表示していた他の情報を表す文字列やシンボルを追加して表示するようにしたため、限定された一定面積の表示領域において、表示モードを切り替えることなくより多くの情報を提示することができる。その際、ステーション・コール・レターや、楽曲のアーティスト名等を表す文字の一部を変更したり、省略したりして、ユーザが認識しやすい形態で、より多くの情報を提示することができる。特に、表示部の表示領域が１行又は２行程度の行数分しか存在しない車載用の受信装置においては、これらの利点は大きい。
【００５１】
また、付加される情報を表す文字やシンボルについては、表示位置が固定されていないため、インジケータの場合のように固定された表示位置を確保しておく必要がない。したがって、表示される文字列やシンボルの結合を全体としてスクロールさせる等によって、より多くの情報を提示することができる。また、従来は、受信信号に含まれる文字データに基づく文字列として表示する情報と、放送モードや受信チャンネルのようなインジケータにより表示する情報とに分けて表示していた各情報を、文字列又はシンボルの結合として一体化し、同時に表示するようにしたため、限られた表示領域において、より多くの情報を、ユーザが認識しやすい十分な大きさで表示することができる。したがって、インジケータによる表示を不要とすることができる。また、ユーザが選択している表示モードに拘わらず、常に、受信中の放送の放送モードや受信チャンネルに関する情報を、それを表す付加的な文字列やシンボルにより表示させておくこともできる。
【００５２】
ところで、表示モードによっては「デモ・モード」と呼ばれるような、様々なグラフィックを表示し、周波数、放送局名等の情報すら表示させないような表示モードを有する受信装置も知られている。また、表示部が１行又は２行分程度の大きさの表示領域しか有していない受信装置の場合、どのようにしても、すべての情報を、同時に表示することができないことがある。
【００５３】
そこで、本発明に係る別の実施形態に係る受信装置においては、受信状態を常に監視し、受信状態に所定の遷移があったときに、その旨をユーザに通知するために、その状態遷移を表す文字又はシンボルを一定時間、ユーザが設定している表示モードに関係なく優先的に、表示装置の所定の表示領域において表示するようにしている。受信装置の構成は、図１の場合と同様である。
【００５４】
受信状態の遷移としてはたとえば、受信している放送の放送局が行う放送モードの遷移や受信装置が行う遷移が該当する。放送モードの遷移としてはたとえば、デジタル放送を含む放送及びアナログのみの放送間の遷移、ステレオ放送及びモノラル放送間の遷移、デジタル放送におけるサブ・チャンネルを含む状態及び含まない状態間の遷移、ＩＢＯＣ放送におけるハイブリッド放送及びフルデジタル放送間の遷移、又はＩＢＯＣ放送におけるハイブリッド放送及び非遅延（ノン・ディレイ）放送間の遷移が該当する。
【００５５】
受信装置が行う受信状態の遷移としては、たとえば、メイン・チャンネルを受信している状態及びサブ・チャンネルを受信している状態間の遷移や、ＩＢＯＣ放送を受信している場合における、アナログ音声を受信している状態及びデジタル音声を受信している状態間の遷移が該当する。前者のメイン・チャンネル及びサブ・チャンネル間の遷移は、ユーザの指示操作に基づいて行われるが、後者のアナログ及びデジタル間の遷移は、ユーザの指示操作によらず、受信信号の電界強度等に基づき、メイン・コントローラ１２が行う。
【００５６】
図８は本実施形態におけるメイン・コントローラ１２による処理の一部を示すフローチャートである。この処理は、所定の間隔で行われる。処理を開始すると、まず、ステップ７１において、メイン・コントローラ１２は、所定の受信状態間の遷移、たとえばアナログのみの放送からデジタル放送を含む放送への放送モードの遷移があったか否かを判定する。遷移があったと判定した場合にはステップ７２へ進み、遷移がなかったと判定した場合にはステップ７４へ進む。
【００５７】
ステップ７２へ進むと、メイン・コントローラ１２はタイマをスタートさせる。次に、ステップ７３において、前記所定の受信状態間の遷移があったことを表す文字又はシンボルの表示を開始する。たとえば上述のデジタル放送を含む放送への放送モードの遷移があった場合には、デジタル放送を象徴するようなシンボルの表示を開始する。この表示の代わりに、所定のインジケータの点灯を開始するようにしてもよい。この後、図７の処理を終了する。
【００５８】
ステップ７４では、タイマが所定期間をカウントしたか否かを判定する。所定期間をカウントしていないと判定した場合は図７の処理を終了する。カウントしたと判定した場合にはステップ７５へ進む。ステップ７５へ進むと、表示装置１６における表示状態を、ステップ７３における表示を開始する前の元の表示モードによる表示状態に戻す。ただし、元の表示モードに戻ったときの表示内容は、その表示モードと、遷移後の受信状態との関係で、遷移前のものに対し変化する場合はあり得る。
【００５９】
本実施形態によれば、所定の受信状態間の遷移があったとき、所定期間、その旨を示す表示を行い、その期間の経過後、元の表示モードによる表示状態に戻すようにしたため、より多くの情報を表示モードに拘わらずユーザに提示することができる。たとえば上述のデジタル放送を含む放送への放送モードの遷移があった場合には、ユーザはその状態遷移を示す表示を見て、放送波中にデジタル放送が含まれることを知り、デジタル放送を受信するように受信装置の設定を行うことができる。
【００６０】
なお、本発明は上述の実施形態に限定されることなく、適宜変形して実施することができる。たとえば、上述においては、ＩＢＯＣ放送及びＲＤＳ／ＲＢＤＳ放送を受信する機能を有する受信装置について説明したが、本発明はこれに限らず、テキストを受信することができる放送方式による放送を受信する受信装置であれば、他の放送方式による放送を受信する受信装置についても適用することができる。
【図面の簡単な説明】
【００６１】
【図１】本発明の一実施形態に係る受信装置の構成を示すブロック図である。
【図２】図１の装置のメイン・コントローラにおける表示用情報の生成処理を示すフローチャートである。
【図３】図１の装置の表示装置における表示例を、従来例と比較して示す図である。
【図４】図１の装置の表示装置における別の表示例を、従来例と比較して示す図である。
【図５】図１の受信装置のフロント・パネル部分を示す図である。
【図６】図５中の表示部における表示内容と同一の表示内容を別の表現で表示した例を示す図である。
【図７】図１の表示装置におけるさらに別の表示例を、従来の表示例と比較して示す図である。
【図８】本発明の別の実施形態に係る受信装置におけるメイン・コントローラによる処理の一部を示すフローチャートである。
【図９】従来例に係る一般的な車載用受信装置の表示部における表示例を示す図である。
【図１０】別の従来例に係る車載用受信装置の表示部における表示例を示す図である。
【図１１】図１０の受信装置において、ＲＤＳ／ＲＢＤＳ放送を受信している状態を示す図である。
【符号の説明】
【００６２】
１１：入力装置、１２：メイン・コントローラ、１３：チューナ、１４：アナログ／デジタル復調部、１５：音声出力装置、１６：表示装置、５１:表示部、８１：表示部。
【図１】
2006229748.tif 000003
【図２】
2006229748.tif 000004
【図３】
2006229748.tif 000005
【図４】
2006229748.tif 000006
【図５】
2006229748.tif 000007
【図６】
2006229748.tif 000008
【図７】
2006229748.tif 000009
【図８】
2006229748.tif 000010
【図９】
2006229748.tif 000011
【図１０】
2006229748.tif 000012
【図１１】
2006229748.tif 000013